(57)【要約】【課題】投入されたメダルの表面に付いた汚れを落とす。【解決手段】セレクタと、ホッパー装置との間に清掃装置３５を設ける。キャリア４１の第１戴置面５０ａに投入されたメダル３０が戴置されると、キャリア４１が第１位置から第２位置へと移動する。キャリア４１の移動により、メダル３０の上面が第１摺接面４０ｂと摺接する。第１固定部材４０の突出片４０ａによってメダル３０の搬送が禁止されると、移動するキャリア４１の第１戴置面５０ａとメダル３０の下面とが摺接する。キャリア４１が第２位置まで移動すると、メダル３０が第２戴置面４２ａに落下する。第１位置へと移動するキャリア４１の第２摺接面５０ｃとメダル３０の上面とが摺接する。キャリア４１に設けられた突出片５０ｂによって、メダル３０が、その下面を第２戴置面４２ａに摺接させながら斜面４６ｂへと押し出され、開口４７ｂからホッパー装置に向けて排出される。【選択図】        図１３
2005000544.tif 000002
【特許請求の範囲】
【請求項１】
遊技媒体を投入する投入口と、遊技の際の付与価値を払い出す払出し装置とを備えた遊技機において、
前記投入口と払出し装置との間に設けられ、前記投入口から投入された遊技媒体を清掃する清掃装置を備えたことを特徴とする遊技機。
【請求項２】
前記清掃装置は、前記投入口から投入された遊技媒体を戴置する第１戴置面が設けられたキャリアと、このキャリアを移動させる駆動手段と、前記キャリアが移動する際に、前記第１戴置面に戴置された遊技媒体に摺接する第１摺接面を備えた部材と、前記第１戴置面から落下した遊技媒体が戴置される第２戴置面を備えた部材と、を備えていることを特徴とする請求項１記載の遊技機。
【請求項３】
前記キャリアは、前記遊技媒体を前記第１戴置面に戴置する第１位置と、前記第１戴置面に戴置された遊技媒体を第２戴置面に落下させる第２位置との間で移動可能であることを特徴とする請求項２記載の遊技機。
【請求項４】
前記第１摺接面を備えた部材は、前記キャリアによって第２位置へと搬送される遊技媒体の移動を防止する移動防止片を備えていることを特徴とする請求項２又は３記載の遊技機。
【請求項５】
前記キャリアは、第２位置から第１位置への移動時に、前記第２戴置面に戴置された遊技媒体に摺接する第２摺接面を有するとともに、前記遊技媒体を払出し装置に向けて送り出す送出し片を備えていることを特徴とする請求項２乃至４いずれか記載の遊技機。
【発明の詳細な説明】
【０００１】
【発明の属する技術分野】
本発明は、パチンコ店などの遊技場に設置して使用されるスロットマシン等の遊技機に関するものである。
【０００２】
【従来の技術】
パチンコ店などの遊技場に設置して使用されるスロットマシンはパチスロ機と称されている。このようなスロットマシンには、遊技媒体であるメダルを投入するメダル投入口が設けられ、このメダル投入口から投入されたメダルは、メダル投入口の下部に設けられたセレクタと呼ばれる装置を介して、払出し装置であるホッパー装置に設けられた貯留タンクに貯留される。そして、ゲームを行って入賞を得た場合に、ホッパー装置が駆動して貯留タンクに貯留されたメダルから入賞に対する払出し枚数となるメダルが払い出されるようになっている。
【０００３】
【発明が解決しようとする課題】
このような遊技に用いられるメダルは、遊技者によってスロットマシンに設けられたメダル受け皿等からメダル投入口に投入されるため、遊技者の手に付いた汚れが、そのままメダル表面に付着しやすい。このような理由から、メダルの使用頻度が高くなると、その分メダル表面に付着した汚れがひどくなり、例えばゲームを行う遊技者の手が汚れていない場合には、逆にメダルを掴む際に手が汚れてしまうという問題がある。
【０００４】
例えば遊技場のメダルを洗浄装置等で定期的に洗浄するということが考えられるが、遊技場には数多くのメダルがあり、全てのメダルを洗浄することに無理がある。また、仮に全てのメダルを洗浄したとしても、次に洗浄するまでの間に、再びメダルの表面が汚れてしまうという問題もある。
【０００５】
本発明は、上記課題を解決するために発明されたものであり、投入されてから払い出しを行うまでの間に、投入されたメダルの表面に付いた汚れを落とすことができるようにした遊技機を提供することを目的とする。
【０００６】
【課題を解決するための手段】
上記目的を達成するために、本発明の遊技機は、遊技媒体を投入する投入口と、遊技の際の付与価値を払い出す払出し装置とを備えたものであり、前記投入口と払出し装置との間に設けられ、前記投入口から投入された遊技媒体を清掃する清掃装置を備えたものである。なお、遊技媒体とは、例えばメダル、コイン等を挙げられる。また、付与価値とは、遊技を行って入賞を得た場合に、その入賞に対する価値であり、例えばメダルを使用して遊技を行うのであれば、入賞に対して払い出される所定枚数のメダルが付与価値となる。
【０００７】
また、前記清掃装置は、前記投入口から投入された遊技媒体を戴置する第１戴置面が設けられたキャリアと、このキャリアを移動させる駆動手段と、前記キャリアが移動する際に、前記第１戴置面に戴置された遊技媒体に摺接する第１摺接面を備えた部材と、前記第１戴置面から落下した遊技媒体が戴置される第２戴置面を備えた部材と、を備えていることが好ましい。
【０００８】
また、前記キャリアは、前記遊技媒体を前記第１戴置面に戴置する第１位置と、前記第１戴置面に戴置された遊技媒体を第２戴置面に落下させる第２位置との間で移動可能であることが好ましい。また、前記第１摺接面を備えた部材は、前記キャリアによって第２位置へと搬送される遊技媒体の移動を防止する移動防止片を備えていることが好ましい。なお、前記キャリアは、第２位置から第１位置への移動時に、前記第２戴置面に戴置された遊技媒体に摺接する第２摺接面を有するとともに、前記遊技媒体を払出し装置に向けて送り出す送出し片を備えていることが好ましい。
【０００９】
【発明の実施の形態】
図１に示すように、スロットマシン２は、筐体３の前面に設けられた２枚の前面扉（以下、上部前面扉４及び下部前面扉５とする）を有している。これら前面扉のうち上部前面扉４には表示窓６が設けられ、この表示窓６の奥に第１リール７ａ，第２リール７ｂ，第３リール７ｃを有するリールユニット３０（図３参照）が設けられている。周知のように、第１〜第３リール７ａ〜７ｃの外周には様々な図柄が一定ピッチで配列され、リールが停止した状態では対応する表示窓６を通して１リール当たり３個の図柄が観察される。これにより、各リールの図柄を１個ずつ組み合わせた直線状の入賞ラインが横３本斜め２本の合計５本設定されている。この第１〜第３リール７ａ〜７ｃの側方には液晶表示装置８が設けられ、例えばアニメーション表示を利用した演出を行う。なお、表示窓６の個数は１つに限定する必要はなく、例えば各々のリール毎に表示窓を設けるようにしてもよい。
【００１０】
下部前面扉５の上部には、ゲームの開始時に操作される１枚ベットボタン１０、ＭＡＸベットボタン１１、ペイアウトボタン１２などの各種の操作ボタンが設けられる。なお、これらの操作ボタンの機能はいずれも周知であるので、その詳細については省略する。また、これら操作ボタンの下部には、メダルベットが行われた後に操作されるスタートレバー１５や、スタートレバー１５の操作により回転するリールを停止させるための第１〜第３ストップボタン１６〜１８等が設けられる。
【００１１】
また、下部前面扉５には、ゲームを行う際にメダル３０（図２参照）を投入するためのメダル投入口２０が設けられている。メダル投入口２０の奥にはセレクタ２１が組み込まれ、不適正なメダルはメダル払出口２２を介してメダル受け皿２３に排出される。また、セレクタ２１は、例えばゲームの途中や各種の操作ボタンが押されたままの状態で投入された等の不適切なタイミングでメダル３０の投入が行われたときに、投入されたメダル３０をメダル受け皿２３に排出する。なお、ゲームの開始に先立って投入するメダル３０の枚数は１〜３枚に限られているため、クレジット機能を用いていないときには４枚目以降に投入されたメダル３０はメダル受け皿２３に排出される。
【００１２】
一方、クレジット機能がオン状態のときには４枚目以降に投入されたメダル３０は、図示しないメダルセンサで検知され、５０枚を限度にスロットマシン２の内部に貯留される。なお、貯留されたメダル３０の枚数は、クレジット枚数表示器２５でデジタル表示される。このクレジット機能を用いているときには、前述した１枚ベットボタン１０やＭＡＸベットボタン１１の操作によりメダル３０の投入操作が行われ、そのベット枚数がクレジット枚数から逐次に減算される。また、ゲームの結果、入賞が得られたときには配当となるメダル３０もクレジットされ、ペイアウトボタン１２を操作したときにクレジットされているメダル３０がメダル受け皿２３に払い出される。
【００１３】
図２は、スロットマシン２の払出し装置近傍を示す斜視図、図３はスロットマシン２の内部の配置構成を示す概略図である。筐体３の下部には、ホッパー装置３１及びオーバーフロー用の貯留箱３２が設けられる。ホッパー装置３１は、このスロットマシン２でゲームを行って入賞を得た場合に作動し、入賞に対するメダル３０をメダル受け皿２３に払い出す。このホッパー装置３１の上部には、払出し用のメダル３０を貯留する貯留タンク３３が設けられている。なお、この貯留タンク３３には、メダル投入口２０から投入され、後述する清掃装置３５から送り出されたメダル３０が貯留される。オーバーフロー用の貯留箱３２は、ホッパー装置３１の貯留タンク３３に貯留されたメダル３０が所定量を超えたときに、貯留タンク３３から排出されたメダル３０を貯留する。
【００１４】
図４及び図５に示すように、清掃装置３５は、第１固定部材４０、キャリア４１、第２固定部材４２、ガイド軸４３，４４、駆動機構４５及び装置基部４６から構成され、これら部材が収納ケース４７の内部に組み込まれた構成からなっている。
【００１５】
第１固定部材４０は、例えばスポンジ等の部材から形成され、収納ケース４７の所定位置にブラケット（図示せず）を介して固定される。この第１固定部材４０の下面には、方形状からなる突出片４０ａがメダル３０の厚み分突出して設けられる。この第１固定部材４０の下面は、後述するキャリア４１が第２位置へと移動する際に、戴置されたメダル３０の上面と摺接する（図９参照）。そして、メダル３０の上面と第１固定部材４０の下面とが摺接した後に、前記突出片４０ａにキャリア４１によって搬送されるメダル３０が当接し、キャリア４１のみが第２位置へと移動する（図１０参照）。これにより、第１固定部材４０の下面は第１摺接面として、突出片４０ａは移動防止片として、それぞれ機能する。以下では、第１固定部材４０の下面を第１摺接面４０ｂとして説明する。なお、第１固定部材４０をスポンジ等の部材から構成する代わりに、プラスチックや金属等の基部と、この基部の外周にスポンジ等を貼付した構成としてもよい。
【００１６】
キャリア４１は、収納ケース４７の上面に設けられた開口４７ａから落下したメダル３０を戴置する第１位置（図６参照）と、戴置したメダル３０を第２固定部材４２の上面に落下させる第２位置（図１０参照）との間で移動する。このキャリア４１は、キャリア本体５０、軸受け部５１，５２及びラック部５３から構成されている。なお、このキャリア４１は、メダル投入口２０からメダル３０の投入が行われていないときには、第１位置にあるものとする。
【００１７】
キャリア本体５０は、その上面及び底面にスポンジ等の部材が貼付された構成となっている。なお、収納ケース４８の開口４８ａから落下したメダル３０は、キャリア本体５０の上面に戴置される。以下では、キャリア本体５０の上面を第１戴置面５０ａとして説明する。このキャリア本体５０の下面には、方形状からなる突出片５０ｂがメダル３０の厚み分突出して設けられる。この突出片５０ｂは、キャリア４１が第２位置から第１位置へと移動する際に、第２固定部材４２の上面に戴置されたメダル３０を収納ケース４８の側面に設けられた開口４８ｂに向けて押し出す（図１３参照）。これにより、第２固定部材４２の上面に戴置されたメダル３０がホッパー装置３１に向けて送り出されるので、突出片５０ｂは送出し片として機能する。
【００１８】
軸受け部５１は、キャリア本体５０の一方の端部に、それぞれに設けられた開口が同軸となるように２個設けられる。軸受け部５１の開口には、ガイド軸４３が挿通される。同様にして、キャリア本体５０の他方の端部には軸受け部５２が２個設けられる。この軸受け部５２の開口には、ガイド軸４４が挿通される。これにより、キャリア４１の移動方向が規制される。これら軸受け部のうち、軸受け部５２にはラック部５３が設けられている。このラック部５３は後述する駆動機構４５のギア５６と噛合することで、モータ５５の駆動力がラック部５３に伝達される。
【００１９】
このラック部５３の上面には、インデックス５７が設けられている。このインデックス４７は、キャリア４１の位置を検出するために設けられている。なお、この清掃装置３５には、２個のフォトインタラプタ５９，６０が設けられている。フォトインタラプタ５９によってインデックス５７が検出されると、検出信号を制御部６１に向けて出力する。これを受けて、制御部６１は、キャリア４１が第１位置に位置していると判断する。同様にして、フォトインタラプタ６０によってインデックス５７が検出された場合には、フォトインタラプタ６０から検出信号が制御部６１に出力されるので、制御部６１は、キャリア４１が第２位置に位置していると判断する。
【００２０】
駆動機構４５は、モータ５５及びギア５６から構成される。モータ５５は、上記フォトインタラプタ５９によってインデックス５７の検出が行われ、且つ収納ケース４７の開口４７ａの下部に設けられた検出センサ６２によってメダル３０が通過したことが検知された所定時間後に作動し、その駆動軸に組み付けられたギア５６を図５中Ａ方向に回転させる。これによって、キャリア４１が第１位置から第２位置に向けて（図５中Ｃ方向）移動する。また、フォトインタラプタ６０によってインデックス５７が検出されると、検知された所定時間後にモータが逆回転し、ギア５６を図５中Ｂ方向に回転させる。これにより、キャリア４１を第２位置から第１位置に向けて（図５中Ｄ方向）移動させる。なお、モータ５５の駆動軸にはギア５６が組み付けられており、モータ５５の駆動力はギア５６を介してキャリア４１のラック部５３に伝達される。なお、第２位置から第１位置へキャリアが移動すると、モータ５５の駆動が停止し、キャリアが第１位置に保持される。なお、符号６３はドライバである。
【００２１】
第２固定部材４２は、装置基部４７に組み付け固定される。この第２固定部材４２は、第１固定部材４０と同様に、例えばスポンジ等の部材から構成される。この第２固定部材４２の上面は、第２位置へと移動するキャリア４１の第１戴置面５０ａから落下したメダル３０を戴置する（図１１参照）。以下では、第２固定部材４２の上面を第２戴置面４２ａとして説明する。なお、この第２戴置面４２ａにメダル３０が戴置されると、第２位置に位置するキャリア４１が第１位置に向けて移動する。キャリア４１が第１位置に向けて移動し、キャリア４１の下面がメダル３０の上面に摺接しながら移動する。そして、上述した突出片５０ｂによって、第２戴置面４２ａから斜面４６ｂに向けて押し出される（図１３参照）。これにより、キャリア本体５０の下面は第２摺接面として機能する。以下では、キャリア本体５０の下面を第２摺接面５０ｃとして説明する。
【００２２】
装置基部４７は、上記部材が組み込まれる部品である。この装置基部４７の上面のほぼ中央には凸部４７ａが設けられている。この凸部４７ａの上面には、第２固定部材４２が、例えば貼り付け等により組み付け固定される。この凸部４７ａに連なって斜面４７ｂが形成されており、キャリア４１の突出片５０ｂによって押圧されたメダル３０が、この斜面４７ｂを滑り落ちる。なお、この斜面４７ｂの終端には、収納ケース４８の開口４８ｂが設けられ、この斜面４７ｂを滑り落ちたメダル３０は、開口４８ｂを介してホッパー装置３１の貯留タンク３３に排出される。なお、符号４７ｃはガイドであり、斜面４７ｂを滑り落ちるメダル３０の方向を規制するためのものである。また、図５中ハッチングで示す領域４７ｄ〜４７ｇは、ガイド軸４３，４４を所定位置に保持するための軸受け片６２〜６５を組み付ける領域であり、軸受け片６２〜６５は、それぞれの領域４７ｄ〜４７ｇに、それぞれビス等により組み付けられる。なお、これら軸受け片６２〜６５は、装置基部４７と一体に形成してもよいものとする。
【００２３】
次に、このような清掃装置を組み込んだスロットマシンの作用について説明する。図６及び図７に示すように、遊技者が遊技を行う際にメダル投入口２０からメダル３０を投入すると、メダル３０はセレクタ２１を通過し、セレクタ２１と清掃装置３５との間に設けられた通路６７を転動する。そして、メダル３０は清掃装置３５の収納ケース４７の上面に設けられた開口４７ａから、清掃装置３５の内部に落下する。この際、開口４７ａの近傍に設けられた検出センサ６２によって、メダル３０が検出される。なお、開口４７ａから落下したメダル３０は、第１位置にあるキャリア４１の第１戴置面５０ａに戴置される。
【００２４】
メダル投入口２０からのメダル３０の投入が行われていないときには、清掃装置３５のキャリア４１は第１位置に保持されているので、フォトインタラプタ５９からインデックス５７の検出信号が制御部６１に出力されている。これにより、検出センサ６２からの検出信号が制御部６１に出力されると、制御部６１は所定時間後にドライバ６３を介してモータ５５を駆動させる。このモータ５５の駆動によりギア５６が回転し、このギア５６と噛み合うラック部５３が移動する。これにより、キャリア４１が第１位置から第２位置に向けて（図７中矢印方向に）移動する。
【００２５】
図８〜図１０に示すように、キャリア４１が第１位置から第２位置に向けて移動を開始すると、第１戴置面５０ａに戴置されたメダル３０の上面が、第１固定部材４０の第１摺接面４０ｂに摺接しながら搬送されていく。これにより、メダル３０の上面に付着した汚れが、第１摺接面４０ｂとの摺接によって落ちることになる。そして、メダル３０が第１固定部材４０の突出片４０ａに当接すると、メダル３０の搬送が停止し、キャリア４１だけが第２位置に向けて移動する。第２位置に向けて移動するキャリア４１は、その第１戴置面５０ａをメダル３０の下面に摺接させながら移動する。これにより、メダル３０の下面に付着した汚れが、第１戴置面５０ａとの摺接によって落ちることになる。
【００２６】
キャリア４１がさらに第２位置に向けて移動すると、メダル３０は、突出片４０ａによって第１戴置面５０ａから退避していく。そして、キャリア４１が第２位置に到達すると、突出片４０ａによってメダル３０が第１戴置面５０ａから完全に退避するので、第２固定部材４２の第２戴置面４２ａに落下する（図１１参照）。なお、キャリア４１が第２位置に到達すると、インデックス５７がフォトインタラプタ６０によって検出されるので、制御部６１はモータ５５の駆動を停止させる。これにより、キャリア４１が第２位置で停止する。
【００２７】
キャリア４１が第２位置に停止して、制御部６１は、所定時間経過後にドライバ６３を介してモータ５５を逆回転させる。これにより、キャリア４１が第２位置から第１位置に向けて（図１１中矢印の方向に）移動を開始する。第１位置に向けて移動するキャリア４１は、その第２摺接面５０ｃを第２戴置面４２ａに戴置されたメダル３０の上面に摺接させながら移動する。これにより、メダル３０の上面に付着した汚れが、第１摺接面４０ｂとの摺接によって落ちなくても、第２摺接面５０ｃとの摺接によって落ちることになる。
【００２８】
図１２に示すように、第２摺接面５０ｃとメダル３０の上面との摺接が行われている間に、キャリア４１の突出片５０ｂがメダル３０に当接する。そして、突出片５０ｂによってメダル３０がキャリア４１とともに移動する。この時、突出片５０ｂの押圧を受けてて移動するメダル３０の下面が第２戴置面４２ａと摺接する。これにより、メダル３０の下面に付着した汚れが、第１戴置面４２との摺接によって落ちなくても、第２戴置面４２ａとの摺接によって落ちることになる。
【００２９】
図１３に示すように、突出片５０ｂによって押圧されるメダル３０は、第２戴置面４２ａから斜面４７ｂへと落下する。斜面４７ｂに落下したメダル３０は、図中２点鎖線で示すように、斜面４７ｂを滑り落ちた後に斜面４７ｂの終端に設けられた開口４７ｂからホッパー装置３１の貯留タンク３３に排出される。これにより、メダル投入口２０から投入されたメダル３０が汚れていても、そのメダル３０が払い出される間に、その表面に付着した汚れを落とすことができる。また、汚れが落ちた状態でメダルが払い出されるので、遊技者の手を汚すことはない。なお、キャリア４１は、メダル３０が斜面４７ｂへと落下した後も移動し、第１位置で停止する。
【００３０】
本実施形態では、第１固定部材の突出片の形状を方形状としたが、これに限定する必要はない。図１４に示すように、例えば第１固定部材７０の下部に設けられる突出片７１に凹部７１ａを設ける。これにより、キャリアによって図中矢印方向に搬送されるメダル７２がキャリアの側端部に向けて逃げることがなく、所定位置に保持されることになる。この他に、図示はしないが、突出片をコの字状にし、この突出片の凹部にキャリアによって搬送されるメダルの一部を挿入させることにより、メダルの移動を防止することも可能である。同様にして、キャリア本体の下部に設けられる突出片も、上記形態としてよい。
【００３１】
本実施形態では、メダル１枚毎の清掃を可能とした実施形態の例を取り上げたが、これに限定する必要はなく、複数のメダルを１度に清掃することも可能である。この場合、複数のメダルを第１戴置面に振り分けて戴置するような振り分け装置を設ける必要がある。
【００３２】
本実施形態では、キャリアを第１位置と第２位置との間を１往復させる間に、メダル表面の汚れを落とすようにしたが、これに限定する必要はなく、キャリアを第１位置と第２位置との間で複数回往復させるようにしてもよい。
【００３３】
本実施形態では、１個のキャリアを往復させるようにしたが、これに限定する必要はなく、例えば、キャリアを複数個、層状に配置し、これらキャリアを往復させることで、メダル表面の汚れを落とすようにしてもよい。
【００３４】
本実施形態では、駆動機構として、モータ及びキャリアのラック部と噛合するギアから構成したが、これに限定する必要はなく、例えば駆動機構を、モータ、プーリ及びベルトから構成してもよい。また、駆動機構として、ソレノイドを用いてもよい。この場合、ソレノイドは通電を行うと、駆動鉄芯を本体内部に収容されるので、キャリアを第１位置に向けてバネ付勢させるとともに、駆動鉄芯の先端をキャリアに組み付ける必要がある。
【００３５】
また、清掃装置は、本実施形態に限定されるものではなく、例えばベルトによって搬送されるメダルの表面をブラシ等を用いて綺麗にすることも可能である。また、セレクタとホッパー装置との間の通路の両側面に、モータ等によって回転するローラ対を配置して、メダルの表面を回転するローラ対に接触させることで綺麗することも可能である。この場合、ローラ対の表面にスポンジ等の部材を貼り付ける必要がある。
【００３６】
本実施形態では、メダル表面を、スポンジ等を摺接させることにより清掃する例を取り上げたが、これに限定する必要はなく、洗剤等を用いて、メダル表面の汚れを落とすことも可能である。この場合、洗剤用の貯留タンクを設け、この貯留タンクと、第１固定部材、第２固定部材及びキャリアの間のそれぞれにチューブを設ける。これにより、第１固定部材の第１摺接面、第２固定部材の第２戴置面、キャリアの第１戴置面及び第２摺接面のそれぞれに、洗剤を含ませることができ、摺接するメダルの表面を洗浄することができる。この場合、装置基部の斜面に、洗剤によって洗浄されたメダルを乾燥させる、例えばヒータ等の乾燥装置を設ける必要がある。また、上記部材に供給された洗剤が装置から漏れないように、洗剤を回収する装置を設ける必要がある。なお、洗剤の温度は３０〜４０℃の範囲内であることが好適である。
【００３７】
【発明の効果】
以上のように、本発明の遊技機によれば、遊技媒体を投入する投入口と、遊技の際の付与価値を払い出す払出し装置との間に設けられ、前記投入口から投入された遊技媒体を清掃する清掃装置を備えたので、遊技の際に投入される遊技媒体が、払出し装置によって払い出されるまでの間に、遊技媒体を清掃することができる。また、遊技媒体の表面に付着した汚れが、遊技者に付くことがないので、遊技媒体を掴む際の不快感を抑制することができる。
【００３８】
また、前記清掃装置は、前記投入口から投入された遊技媒体を戴置する第１戴置面が設けられたキャリアと、このキャリアを移動させる駆動手段と、前記キャリアが移動する際に、前記第１戴置面に戴置された遊技媒体に摺接する第１摺接面を備えた部材と、前記第１戴置面から落下した遊技媒体が戴置される第２戴置面を備えた部材と、を備えているから、キャリアによって搬送される遊技媒体のを清掃することが可能となる。
【００３９】
また、前記キャリアは、前記遊技媒体を前記第１戴置面に戴置する第１位置と、前記第１戴置面に戴置された遊技媒体を第２戴置面に落下させる第２位置との間で移動可能であるから、キャリアにより搬送される遊技媒体の上面を清掃することが可能となる。
【００４０】
さらに、前記第１摺接面を備えた部材は、前記キャリアによって第２位置へと搬送される遊技媒体の移動を防止する移動防止片を備えているから、搬送される遊技媒体の後面と、移動するキャリアによって遊技媒体の下面を清掃することが可能となる。
【００４１】
また、前記キャリアは、第２位置から第１位置への移動時に、前記第２戴置面に戴置された遊技媒体に摺接する第２摺接面を有するとともに、前記遊技媒体を払出し装置に向けて送り出す送出し片を備えているから、キャリアにより搬送される遊技媒体が第１摺接面と摺接することによって、表面の汚れが落ちない場合でも、再度摺接することによって表面の汚れを落とすことができる。
【図面の簡単な説明】
【図１】本発明を実施したスロットマシンの外観を示す斜視図である。
【図２】スロットマシンの下部の内部構成を示す斜視図である。
【図３】スロットマシンの内部構成の概略を示す正面図である。
【図４】清掃装置の構成の一例を示す斜視図である。
【図５】清掃装置の構成を分解して示す斜視図である。
【図６】メダルが清掃装置内に移動したときの清掃装置を示す断面図である。
【図７】メダルがキャリアの第１戴置面に戴置されたときの清掃装置の内部を示す断面図である。
【図８】キャリアが第１位置から第２位置に向けて移動するときの清掃装置の内部を示す断面図である。
【図９】キャリアによって搬送されるメダルが第１固定部材の突出片に当接したときの清掃装置の内部を示す断面図である。
【図１０】キャリアが第２位置に到達したときの清掃装置の内部を示す断面図である。
【図１１】メダルが第２戴置面上に戴置したときの清掃装置の内部を示す断面図である。
【図１２】キャリアが第１位置に向けて移動する際に、その下部に設けられた突出片とメダルとが当接したときの清掃装置の内部を示す断面図である。
【図１３】キャリアの下部に設けられた突出片によって、第２戴置面上に対しされたメダルが第２戴置面上から斜面に向けて押し出されたときの清掃装置の内部を示す断面図である。
【図１４】第１固定部材の下面に設けられる突出片に凹部を設けた場合の一例を示す正面図である。
【符号の説明】
２  スロットマシン
３  筐体
４  上部前面扉
５  下部前面扉
２０  メダル投入口
２１  セレクタ
３０  メダル
３１  ホッパー装置
３３  貯留タンク
３５  清掃装置
４０  第１固定部材
４０ａ，５０ｂ  突出片
４０ｂ  第１摺接面
４１  キャリア
４２  第２固定部材
４２ａ  第２戴置面
４５  駆動機構
４６  装置本体
４６ｂ  斜面
４７  収納ケース
４７ａ，４７ｂ  開口
５０  キャリア本体
５０ａ  第１戴置面
５０ｃ  第２摺接面
【図１】
2005000544.tif 000003
【図２】
2005000544.tif 000004
【図３】
2005000544.tif 000005
【図４】
2005000544.tif 000006
【図５】
2005000544.tif 000007
【図６】
2005000544.tif 000008
【図７】
2005000544.tif 000009
【図８】
2005000544.tif 000010
【図９】
2005000544.tif 000011
【図１０】
2005000544.tif 000012
【図１１】
2005000544.tif 000013
【図１２】
2005000544.tif 000014
【図１３】
2005000544.tif 000015
【図１４】
2005000544.tif 000016